(57)【要約】【課題】自動パージがキャンセルされた場合でもユーザーが残留用紙を容易に除去できる画像形成システムを提供する。【解決手段】画像形成システム１００は、用紙搬送部、ジャム検出部、自動パージ実施部４７１、自動パージ禁止部４７２、用紙位置制御部４７３を有する。自動パージ実施部４７１は、自動パージの実施が可能か否かを判断し、上記自動パージの実施が可能である場合、上記自動パージを実施するように上記用紙搬送部を制御する。自動パージ禁止部４７２は、上記自動パージの実施が可能であるにもかかわらず、上記自動パージを実施する前に上記自動パージの実施を阻害する要因を検出した場合、上記自動パージの実施を禁止する。用紙位置制御部４７３は、前記自動パージが禁止された場合、上記残留用紙のうちユーザーが除去しにくい位置にある用紙をユーザーが除去しやすい所定の位置まで搬送するように上記用紙搬送部を制御する。【選択図】図１
2018081269.tif 000002
【特許請求の範囲】
【請求項１】
用紙に画像を形成する画像形成装置を有する画像形成システムであって、
用紙搬送路を備え、前記用紙を当該用紙搬送路に沿って搬送する用紙搬送部と、
前記用紙搬送路において用紙ジャムの発生を検出するジャム検出部と、
用紙ジャムの発生が検出された場合、用紙搬送を一時的に停止し、前記用紙搬送路の前記用紙ジャムの起因となったジャム起因紙以外の残留用紙を外部へ排出する自動パージを実施することが可能か否かを判断し、前記自動パージを実施することが可能である場合、前記自動パージを実施するように前記用紙搬送部を制御する自動パージ実施部と、
前記自動パージを実施することが可能であるにもかかわらず、前記自動パージを実施する前に前記自動パージの実施を阻害する要因を検出した場合、前記自動パージの実施を禁止する自動パージ禁止部と、
前記自動パージ禁止部により前記自動パージが禁止された場合、前記残留用紙のうちユーザーが除去しにくい位置にある用紙をユーザーが除去しやすい所定の位置まで搬送するように前記用紙搬送部を制御する用紙位置制御部と、を有する、画像形成システム。
【請求項２】
前記自動パージ禁止部は、
前記自動パージを実施することが可能と判断された後に、
前記要因として、前記残留用紙に対する操作を検出した場合、前記自動パージの実施を禁止する、請求項１に記載の画像形成システム。
【請求項３】
前記自動パージ禁止部は、
前記自動パージを実施することが可能と判断された後に、
前記要因として、前記自動パージが開始されるまでの経過時間が所定の待機時間を超過したことを検出した場合、前記自動パージの実施を禁止する、請求項１に記載の画像形成システム。
【請求項４】
前記用紙位置制御部は、
前記自動パージ禁止部によって前記自動パージが禁止された直後に、前記ユーザーが除去しにくい位置にある用紙を、前記所定の位置まで搬送するように前記用紙搬送部を制御する、請求項１〜３のいずれか１項に記載の画像形成システム。
【請求項５】
前記用紙位置制御部は、
前記自動パージ禁止部によって前記自動パージが禁止された時点で、複数の前記残留用紙の中からユーザーが除去しにくい位置にある用紙を特定し、当該用紙の除去に影響を及ぼさない他の残留用紙の除去が完了した後に、前記ユーザーが除去しにくい位置にある用紙を前記所定の位置まで搬送するように前記用紙搬送部を制御する、請求項１〜３のいずれか１項に記載の画像形成システム。
【請求項６】
前記用紙位置制御部は、
前記ユーザーが除去しにくい位置にある用紙の除去に影響を及ぼさない他のすべての残留用紙の除去が完了した後に、前記ユーザーが除去しにくい位置にある用紙を前記所定の位置まで搬送するように前記用紙搬送部を制御する、請求項５に記載の画像形成システム。
【請求項７】
用紙ジャムの発生が検出された場合、当該用紙ジャムに関する情報をユーザーに通知する通知部をさらに有し、
前記通知部は、
前記自動パージ禁止部によって前記自動パージが禁止された時点で、複数の前記残留用紙の中からユーザーが除去しにくい位置にある用紙を特定し、当該用紙の除去に影響を及ぼさない他のすべての残留用紙の停止位置をユーザーに通知し、
ユーザーによって前記残留用紙が除去された後、前記ユーザーが除去しにくい位置にある用紙を、前記所定の位置まで搬送するとともに、当該位置をユーザーに通知するように制御する、請求項１〜３，５，６のいずれか１項に記載の画像形成システム。
【請求項８】
用紙を収容する給紙トレイと、当該給紙トレイに備えられ、前記画像形成システムの筐体から当該給紙トレイを引き出し可能とする引出機構と、を有し、前記用紙を前記用紙搬送路に供給する給紙部と、
前記引出機構を制御する引出機構制御部と、をさらに有し、
前記引出機構制御部は、
前記自動パージ禁止部によって前記自動パージが禁止された時点から、前記用紙搬送路のすべての残留用紙の除去が完了するまで、前記ユーザーが除去しにくい位置にある用紙と干渉する可能性のある前記引出機構をロックする、請求項１〜７のいずれか１項に記載の画像形成システム。
【請求項９】
用紙に画像を形成する画像形成部と、
用紙搬送路を備え、前記用紙を当該用紙搬送路に沿って搬送する用紙搬送部と、
前記用紙搬送路において用紙ジャムの発生を検出するジャム検出部と、
用紙ジャムの発生が検出された場合、用紙搬送を一時的に停止し、前記用紙搬送路の前記用紙ジャムの起因となったジャム起因紙以外の残留用紙を外部へ排出する自動パージを実施することが可能か否かを判断し、前記自動パージを実施することが可能である場合、前記自動パージを実施するように前記用紙搬送部を制御する自動パージ実施部と、
前記自動パージを実施することが可能であるにもかかわらず、前記自動パージを実施する前に前記自動パージの実施を阻害する要因を検出した場合、前記自動パージの実施を禁止する自動パージ禁止部と、
前記自動パージ禁止部により前記自動パージが禁止された場合、前記残留用紙のうちユーザーが除去しにくい位置にある用紙をユーザーが除去しやすい所定の位置まで搬送するように前記用紙搬送部を制御する用紙位置制御部と、を有する、画像形成装置。
【発明の詳細な説明】
【技術分野】
【０００１】
本発明は、画像形成装置および画像形成システムに関する。
【背景技術】
【０００２】
画像形成システムの用紙搬送路における紙詰まり（用紙ジャム）に対処するための技術の開発が進められている。用紙ジャムの発生が検出された場合、画像形成システムは、実行中の印刷処理を一時的に中断し、用紙ジャムが起きる前の正常な用紙搬送に復旧させるための処理であるジャム処理を開始する。
【０００３】
ジャム処理において、画像形成システムは、用紙ジャムを起こした用紙（以下、「ジャム起因紙」という）よりも用紙搬送方向下流の用紙搬送路を搬送されていた用紙については、そのまま用紙搬送を継続し、有効用紙として外部に排出することができる。
【０００４】
しかし、ジャム起因紙よりも用紙搬送方向上流の用紙搬送路を搬送されていた用紙については、進行方向にあるジャム起因紙によって用紙搬送が阻害され、そのままでは外部に排出することができないため、用紙搬送路に残留する。以下、用紙搬送路に残留している用紙を「残留用紙」という。
【０００５】
ジャム起因紙は、用紙搬送路から機械的に除去することが困難である場合が多いため、ユーザーが手作業で除去する必要がある。また、従来の画像形成システムでは、上記ジャム起因紙に加えて、すべての残留用紙についてもユーザーが手作業で用紙搬送路から除去する必要がある場合も多い。
【０００６】
このような場合、通常、画像形成システムは、用紙ジャムの発生を検出した後、用紙搬送を停止し、ジャム起因紙および残留用紙の除去を促すメッセージを画面に表示してユーザーに通知する。ユーザーは、メッセージに従ってジャム起因紙および残留用紙の除去を試みる。しかし、用紙搬送が停止されたとき、残留用紙が必ずしもユーザーが除去しやすい位置に停止するとは限らない。このような状況に対応するため、画像形成システムは、用紙搬送を停止する前に残留用紙をユーザーが除去しやすい位置まで再搬送する機能を備えうる。画像形成システムは、このような機能を備えることにより、ユーザーが、除去しにくい位置にある残留用紙を除去しようとして無理に引っ張り、残留用紙を破いてしまうことを防止する。
【０００７】
これに関連して、下記特許文献１には、用紙搬送路において用紙ジャムを検出した場合、ユーザーが除去しにくい位置にある残留用紙を所定の用紙トレイに排出する画像記録装置が開示されている。
【０００８】
また、画像形成システムによっては、残留用紙を手作業で除去するユーザーの負担を軽減するため、ユーザーによってジャム起因紙が除去された後、自動的に残留用紙を再搬送し、外部に排出する機能を備えるものもある。以下、ジャム起因紙の除去後、残留用紙の再搬送による外部への排出（パージ）を「自動パージ」という。なお、自動パージが実施される場合、ジャム処理のために用紙搬送が停止される前に、残留用紙は、ユーザーが手作業で除去する際に除去しやすい位置とは無関係に、自動パージに適した位置に再搬送され、停止する。
【０００９】
ところが、ジャム起因紙の除去後、自動パージが実施されることをユーザーが必ずしも認識しているとは限らない。たとえば、ユーザーが自動パージの機能を知らなかったり、自動パージの機能を知っていても自動パージが実施されることを失念していたりする場合がある。そのような場合は、自動パージに適した位置に再搬送された残留用紙を、自動パージを認識していないユーザーが移動したり、抜き取ったりするなど何らかの操作をする可能性がある。残留用紙が操作を受けた場合、残留用紙の位置や枚数に変化が生じうるため、画像形成システムは、自動パージを続行できなくなり、キャンセルせざるをえないことがある。この場合、ユーザーは、すべての残留用紙を手作業で除去する必要があるが、これらの残留用紙はユーザーが除去しやすい位置にあるとは限らないという問題がある。
【先行技術文献】
【特許文献】
【００１０】
【特許文献１】特開２０１４−６９９４０号公報
【発明の概要】
【発明が解決しようとする課題】
【００１１】
本発明は、上記問題に鑑みてなされたものである。したがって、本発明の目的は、自動パージがキャンセルされた場合でもユーザーが残留用紙を容易に除去できる画像形成装置および画像形成システムを提供することである。
【課題を解決するための手段】
【００１２】
本発明の上記目的は、下記によって達成される。
【００１３】
（１）用紙に画像を形成する画像形成装置を有する画像形成システムであって、用紙搬送路を備え、前記用紙を当該用紙搬送路に沿って搬送する用紙搬送部と、前記用紙搬送路において用紙ジャムの発生を検出するジャム検出部と、用紙ジャムの発生が検出された場合、用紙搬送を一時的に停止し、前記用紙搬送路の前記用紙ジャムの起因となったジャム起因紙以外の残留用紙を外部へ排出する自動パージを実施することが可能か否かを判断し、前記自動パージを実施することが可能である場合、前記自動パージを実施するように前記用紙搬送部を制御する自動パージ実施部と、前記自動パージを実施することが可能であるにもかかわらず、前記自動パージを実施する前に前記自動パージの実施を阻害する要因を検出した場合、前記自動パージの実施を禁止する自動パージ禁止部と、前記自動パージ禁止部により前記自動パージが禁止された場合、前記残留用紙のうちユーザーが除去しにくい位置にある用紙をユーザーが除去しやすい所定の位置まで搬送するように前記用紙搬送部を制御する用紙位置制御部と、を有する、画像形成システム。
【００１４】
（２）前記自動パージ禁止部は、前記自動パージを実施することが可能と判断された後に、前記要因として、前記残留用紙に対する操作を検出した場合、前記自動パージの実施を禁止する、上記（１）に記載の画像形成システム。
【００１５】
（３）前記自動パージ禁止部は、
前記自動パージを実施することが可能と判断された後に、前記要因として、前記自動パージが開始されるまでの経過時間が所定の待機時間を超過したことを検出した場合、前記自動パージの実施を禁止する、上記（１）に記載の画像形成システム。
【００１６】
（４）前記用紙位置制御部は、前記自動パージ禁止部によって前記自動パージが禁止された直後に、前記ユーザーが除去しにくい位置にある用紙を、前記所定の位置まで搬送するように前記用紙搬送部を制御する、上記（１）〜（３）のいずれか１つに記載の画像形成システム。
【００１７】
（５）前記用紙位置制御部は、前記自動パージ禁止部によって前記自動パージが禁止された時点で、複数の前記残留用紙の中からユーザーが除去しにくい位置にある用紙を特定し、当該用紙の除去に影響を及ぼさない他の残留用紙の除去が完了した後に、前記ユーザーが除去しにくい位置にある用紙を前記所定の位置まで搬送するように前記用紙搬送部を制御する、上記（１）〜（３）のいずれか１つに記載の画像形成システム。
【００１８】
（６）前記用紙位置制御部は、前記ユーザーが除去しにくい位置にある用紙の除去に影響を及ぼさない他のすべての残留用紙の除去が完了した後に、前記ユーザーが除去しにくい位置にある用紙を前記所定の位置まで搬送するように前記用紙搬送部を制御する、上記（５）に記載の画像形成システム。
【００１９】
（７）用紙ジャムの発生が検出された場合、当該用紙ジャムに関する情報をユーザーに通知する通知部をさらに有し、前記通知部は、前記自動パージ禁止部によって前記自動パージが禁止された時点で、複数の前記残留用紙の中からユーザーが除去しにくい位置にある用紙を特定し、当該用紙の除去に影響を及ぼさない他のすべての残留用紙の停止位置をユーザーに通知し、ユーザーによって前記残留用紙が除去された後、前記ユーザーが除去しにくい位置にある用紙を、前記所定の位置まで搬送するとともに、当該位置をユーザーに通知するように制御する、上記（１）〜（３），（５），（６）のいずれか１つに記載の画像形成システム。
【００２０】
（８）用紙を収容する給紙トレイと、当該給紙トレイに備えられ、前記画像形成システムの筐体から当該給紙トレイを引き出し可能とする引出機構と、を有し、前記用紙を前記用紙搬送路に供給する給紙部と、前記引出機構を制御する引出機構制御部と、をさらに有し、前記引出機構制御部は、前記自動パージ禁止部によって前記自動パージが禁止された時点から、前記用紙搬送路のすべての残留用紙の除去が完了するまで、前記ユーザーが除去しにくい位置にある用紙と干渉する可能性のある前記引出機構をロックする、上記（１）〜（７）のいずれか１つに記載の画像形成システム。
【００２１】
（９）用紙に画像を形成する画像形成部と、用紙搬送路を備え、前記用紙を当該用紙搬送路に沿って搬送する用紙搬送部と、前記用紙搬送路において用紙ジャムの発生を検出するジャム検出部と、用紙ジャムの発生が検出された場合、用紙搬送を一時的に停止し、前記用紙搬送路の前記用紙ジャムの起因となったジャム起因紙以外の残留用紙を外部へ排出する自動パージを実施することが可能か否かを判断し、前記自動パージを実施することが可能である場合、前記自動パージを実施するように前記用紙搬送部を制御する自動パージ実施部と、前記自動パージを実施することが可能であるにもかかわらず、前記自動パージを実施する前に前記自動パージの実施を阻害する要因を検出した場合、前記自動パージの実施を禁止する自動パージ禁止部と、前記自動パージ禁止部により前記自動パージが禁止された場合、前記残留用紙のうちユーザーが除去しにくい位置にある用紙をユーザーが除去しやすい所定の位置まで搬送するように前記用紙搬送部を制御する用紙位置制御部と、を有する、画像形成装置。
【発明の効果】
【００２２】
本発明によれば、自動パージが開始される前に自動パージがキャンセルされた場合、ユーザーが除去しにくい位置にある残留用紙をユーザーが除去しやすい所定の位置まで搬送する。したがって、ユーザーは、残留用紙を容易に除去できる。その結果、残留用紙の除去処理の効率が改善し、ダウンタイムが低減される。
【図面の簡単な説明】
【００２３】
【図１】第１の実施形態の画像形成システムの構成を例示する概略断面図である。
【図２】図１に示す画像形成システムのハードウェア構成を例示する概略ブロック図である。
【図３】図２に示す画像形成装置の制御部における残留用紙の排出および除去に関する機能を例示する機能ブロック図である。
【図４】第１の実施形態の制御方法の処理手順を例示するフローチャートである。
【図５】図４に示す通常手動除去制御の処理手順を例示するサブルーチン・フローチャートである。
【図６】図４に示す自動パージ制御の処理手順を例示するサブルーチン・フローチャートである。
【図７】図４に示す特別手動除去制御の処理手順を例示するサブルーチン・フローチャートである。
【図８】自動パージが実施可能と判断された状態を例示する模式図である。
【図９】自動パージが禁止された状態を例示する模式図である。
【図１０】１回目のジャム・ポジションを例示する模式図である。
【図１１】１回目の用紙除去処理が完了した状態を例示する模式図である。
【図１２】残留用紙の再搬送が完了した状態を例示する模式図である。
【図１３】２回目のジャム・ポジションを例示する模式図である。
【図１４】２回目の用紙除去処理が完了した状態を例示する模式図である。
【図１５】第２の実施形態の画像形成装置の構成を例示する図である。
【発明を実施するための形態】
【００２４】
以下、添付した図面を参照して本発明の画像形成装置および画像形成システムの実施形態を説明する。なお、図中、同一の部材には同一の符号を用いた。また、図面の寸法比率は、説明の都合上誇張されており、実際の比率とは異なる場合がある。また、本明細書において、画像形成システム内の用紙搬送路における用紙搬送方向に関して上流または下流であることを、それぞれ単に「上流」または「下流」と書く場合がある。
【００２５】
（第１の実施形態）
＜画像形成システム１００＞
図１は第１の実施形態の画像形成システム１００の構成を例示する概略断面図であり、図２は図１に示す画像形成システム１００のハードウェア構成を例示する概略ブロック図である。また、図３は、図２に示す画像形成装置４００の制御部４７０における残留用紙の排出および除去に関する機能を例示する機能ブロック図である。
【００２６】
図１および図２に示すように、本実施形態の画像形成システム１００は、Ｘ方向に沿って直列に接続された第１の給紙装置２００、第２の給紙装置３００、画像形成装置４００、挿入給紙装置５００、および後処理装置６００を有する。なお、図１および図２に示す画像形成システム１００の構成は一例であり、画像形成システム１００に含まれる装置の種類および台数は図１および図２に示す例に限定されない。
【００２７】
＜第１の給紙装置２００＞
第１の給紙装置２００は、画像形成装置４００の指示に従って、第２の給紙装置３００に用紙を供給する。第１の給紙装置２００は、画像形成システム１００において最上流に配置され、給紙部２１０、用紙搬送部２２０、通信部２３０および制御部２４０を有する。これらの構成要素は、内部バス２５０により相互に通信可能に接続されている。
【００２８】
給紙部２１０は、印刷に使用される記録材としての用紙を供給する。給紙部２１０は、複数の給紙トレイを有し、サイズ、色、厚さ、坪量などの種類の異なる用紙を大量に収容できる。本実施形態では、給紙部２１０は、たとえば、上段、中段および下段に１つずつ給紙トレイを備え、これら３つの給紙トレイには、それぞれサイズの異なる用紙が収められている。
【００２９】
また、給紙部２１０は、第１の給紙装置２００の筐体の前面から上記給紙トレイを引き出し可能とする引出機構２１１を備える。引出機構２１１は、制御部２４０の指示に従って給紙トレイの引き出しをロック（制限）できる。
【００３０】
用紙搬送部２２０は、用紙搬送路および複数の搬送ローラーを備え、給紙部２１０から供給された用紙を用紙搬送路に沿って搬送し、第２の給紙装置３００へ排出する。
【００３１】
また、用紙搬送部２２０は、用紙搬送路に設置された用紙検出センサー２２１を有する。用紙検出センサー２２１は、用紙搬送路の分岐の直前など、複数の位置において用紙の搬送を検出できるように複数配置されうる。図１においては、代表として１つの用紙検出センサー２２１が示されている。用紙検出センサー２２１は、制御部２４０とともにジャム検出部として機能し、用紙搬送路の用紙ジャムを検出する。
【００３２】
通信部２３０は、装置間の通信回線１０１により画像形成システム１００の他の装置と通信可能に接続され、データを送受信する。
【００３３】
制御部２４０は、給紙部２１０、用紙搬送部２２０および通信部２３０を制御する。制御部２４０は、図示しない補助記憶装置、メモリーおよびＣＰＵ（Ｃｅｎｔｒａｌ  Ｐｒｏｃｅｓｓｉｎｇ  Ｕｎｉｔ）を有する。これらの各構成要素は、バスを介して相互に通信可能に接続されている。補助記憶装置は、たとえば、ハードディスクドライブ、フラッシュメモリーなどの大容量の記憶装置を備え、第１の給紙装置用の制御プログラムを格納する。メモリーは、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）を備える。
【００３４】
制御部２４０において、ＣＰＵは、第１の給紙装置用の制御プログラムを実行することにより、給紙部２１０、用紙搬送部２２０および通信部２３０を制御し、様々な機能を実現する。
【００３５】
＜第２の給紙装置３００＞
第２の給紙装置３００は、画像形成装置４００の指示に従って、画像形成装置４００に用紙を供給する。第２の給紙装置３００は、第１の給紙装置２００と画像形成装置４００との間に配置され、給紙部３１０、用紙搬送部３２０、通信部３３０および制御部３４０を有する。これらの構成要素は、内部バス３５０により相互に通信可能に接続されている。
【００３６】
給紙部３１０は、印刷に使用される記録材としての用紙を供給する。給紙部３１０は、複数の給紙トレイを有し、サイズ、色、厚さ、坪量などの種類の異なる用紙を大量に収容できる。本実施形態では、給紙部３１０は、たとえば、上段、中段および下段に１つずつ給紙トレイを備え、これら３つの給紙トレイには、それぞれ色の異なる用紙が収められている。
【００３７】
また、給紙部３１０は、第２の給紙装置３００の筐体の前面から上記給紙トレイを引き出し可能とする引出機構３１１を備える。引出機構３１１は、制御部３４０の指示に従って給紙トレイの引き出しをロック（制限）できる。
【００３８】
用紙搬送部３２０は、用紙搬送路および複数の搬送ローラーを備え、第１の給紙装置２００から供給された用紙、または給紙部３１０から供給された用紙を用紙搬送路に沿って搬送し、画像形成装置４００へ排出する。
【００３９】
また、用紙搬送部３２０は、用紙搬送路に設置された用紙検出センサー３２１を有する。用紙検出センサー３２１は、用紙搬送路の分岐の直前など、複数の位置において用紙の搬送を検出できるように複数配置されうる。図１においては、代表として１つの用紙検出センサー３２１が示されている。用紙検出センサー３２１は、制御部３４０とともにジャム検出部として機能し、用紙搬送路の用紙ジャムを検出する。
【００４０】
通信部３３０は、装置間の通信回線１０１により画像形成システム１００の他の装置と通信可能に接続され、データを送受信する。
【００４１】
制御部３４０は、給紙部３１０、用紙搬送部３２０および通信部３３０を制御する。制御部３４０は、図示しない補助記憶装置、メモリーおよびＣＰＵを有する。これらの各構成要素は、バスを介して相互に通信可能に接続されている。補助記憶装置は、たとえば、ハードディスクドライブ、フラッシュメモリーなどの大容量の記憶装置を備え、第２の給紙装置用の制御プログラムを格納する。メモリーは、ＲＡＭおよびＲＯＭを備える。
【００４２】
制御部３４０において、ＣＰＵは、第２の給紙装置用の制御プログラムを実行することにより、給紙部３１０、用紙搬送部３２０および通信部３３０を制御し、様々な機能を実現する。
【００４３】
＜画像形成装置４００＞
画像形成装置４００は、原稿から画像を読み取り、読み取った画像を用紙に形成（印刷）する。また、画像形成装置４００は、ネットワークを通じて外部のクライアント端末７００からＰＤＬ（Ｐａｇｅ  Ｄｅｓｃｒｉｐｔｉｏｎ  Ｌａｎｇｕａｇｅ）形式の印刷データおよび印刷設定データを含む印刷ジョブを受信し、これに基づいて用紙に画像を形成する。クライアント端末７００は、たとえばパーソナルコンピューター、タブレット端末、スマートフォンなどでありうる。
【００４４】
画像形成装置４００は、第２の給紙装置３００と挿入給紙装置５００との間に配置され、画像読取部４１０、画像形成部４２０、給紙部４３０、通信部４４０、用紙搬送部４５０、操作表示部４６０および制御部４７０を有する。これらの構成要素は、内部バス４８０により相互に通信可能に接続されている。
【００４５】
画像読取部４１０は、ミラー、レンズなどから構成される光学系と読取センサーとを備える。画像読取部４１０は、読取面に載置された原稿またはＡＤＦ（Ａｕｔｏ  Ｄｏｃｕｍｅｎｔ  Ｆｅｅｄｅｒ）によって搬送された原稿を読み取って画像信号を出力する。
【００４６】
画像形成部４２０は、帯電、露光、現像、転写、および定着の各工程を含む電子写真式プロセスなどの周知の作像プロセスを用いて、クライアント端末７００などから受信した印刷ジョブまたは上記画像信号に基づいて、画像を用紙上に形成する。
【００４７】
給紙部４３０は、印刷に使用される記録材としての用紙を供給する。給紙部４３０は、複数の用紙トレイを有し、各々の用紙トレイには、たとえばＡ４サイズやＢ５サイズなどの定型の用紙が収納されている。
【００４８】
また、給紙部４３０は、画像形成装置４００の筐体の前面から上記給紙トレイを引き出し可能とする引出機構４３１を備える。引出機構４３１は、制御部４７０の指示に従って給紙トレイの引き出しをロック（制限）できる。
【００４９】
通信部４４０は、ネットワークを経由して、たとえばパーソナルコンピューターなどのクライアント端末７００に接続し、印刷ジョブなどのデータを送受信する。ネットワークは、構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせなどの各種のネットワークからなる。ＬＡＮ規格は、たとえば、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）である。通信プロトコルは、たとえば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００５０】
また、通信部４４０は、装置間の通信回線１０１により画像形成システム１００の他の装置と通信可能に接続され、データを送受信する。
【００５１】
用紙搬送部４５０は、画像形成装置４００内において用紙を搬送する。用紙搬送部４５０は、用紙搬送路および複数の搬送ローラーと、当該用紙搬送路に設置された用紙検出センサー４５１と、を有する。用紙検出センサー４５１は、用紙搬送路の分岐の直前など、複数の位置において用紙の搬送を検出できるように複数配置されうる。図１においては、代表として１つの用紙検出センサー４５１が示されている。用紙検出センサー４５１は、制御部４７０とともにジャム検出部として機能し、用紙搬送路の用紙ジャムを検出する。
【００５２】
第２の給紙装置３００または給紙部４３０から供給された用紙は、用紙搬送路を通じて、画像形成部４２０に搬送される。画像形成部４２０において、画像が形成された用紙は、図示しない排紙部を通じて画像形成装置４００の外部に排出され、挿入給紙装置５００に供給される。
【００５３】
操作表示部４６０は、たとえば、ディスプレイ（表示部）およびキーボード、あるいはタッチパネルを有し、入力部および出力部として機能する。キーボードは、用紙のサイズを指定する選択キー、コピー枚数などを設定するテンキー、動作の開始を指示するスタートキー、動作の停止を指示するストップキーなどの複数のキーを有する。入力部は、文字入力、各種設定、スタート指示などの各種指示（入力）をユーザーが行うために利用される。また、出力部は、機器構成、印刷ジョブの実施状況、用紙ジャムの発生状況、エラーの発生状況、現在変更可能な設定などを、ユーザーに提示するために使用される。
【００５４】
制御部４７０は、画像読取部４１０、画像形成部４２０、給紙部４３０、通信部４４０、用紙搬送部４５０および操作表示部４６０を制御する。制御部４７０は、図示しない補助記憶装置、メモリーおよびＣＰＵを有する。これらの各構成要素は、バスを介して相互に通信可能に接続されている。制御部４７０は、プリントコントローラーとしての役割を果たす。
【００５５】
補助記憶装置は、たとえば、ハードディスクドライブ、フラッシュメモリーなどの大容量の記憶装置を備える。メモリーは、ＲＡＭおよびＲＯＭを備える。ＲＡＭには、ＣＰＵの実行に伴う演算結果、ジャム発生情報などが格納される。ジャム発生情報は、画像形成システム１００内で検出された用紙ジャムのジャム起因紙および残留用紙に関する情報であり、たとえばジャム起因紙の位置および残留用紙の位置を含む。
【００５６】
制御部４７０において、ＣＰＵは、画像形成装置用の制御プログラムを実行する。画像形成装置用の制御プログラムは、補助記憶装置に記憶されており、ＣＰＵによって実行される際に、メモリーのＲＡＭにロードされる。ＣＰＵは、上記制御プログラムにしたがって、画像読取部４１０、画像形成部４２０、給紙部４３０、通信部４４０、用紙搬送部４５０および操作表示部４６０を制御し、様々な機能を実現する。
【００５７】
図３に示すように、本実施形態では、制御部４７０は、残留用紙の排出および除去に関する機能として、自動パージ実施部４７１、自動パージ禁止部４７２、用紙位置制御部４７３、通知制御部４７４および引出機構制御部４７５を有する。これらの各機能は、ＣＰＵが上記画像形成装置用の制御プログラムを実行することにより実現される。
【００５８】
自動パージ実施部４７１は、用紙ジャムの発生が検出された場合、用紙搬送を一時的に停止し、用紙搬送路のジャム起因紙以外の残留用紙を自動的に外部へ排出する自動パージを実施することが可能か否かを判断する。そして、自動パージ実施部４７１は、自動パージを実施することが可能である場合、自動パージを実施する。
【００５９】
自動パージ実施部４７１は、画像形成システム１００の装置構成、残留用紙の状態、実行中の印刷ジョブ、用紙サイズ、紙種などの様々な条件および状態を考慮して、自動パージが実施可能か否かを判断する。
【００６０】
一般に、自動パージを実施するには、画像形成システムが自動パージを実施するためのハードウェア構成およびソフトウェア構成を備えている必要がある。また、画像形成システムが自動パージを実施するか、しないかをユーザーに選択させるモードを備えている場合は、このモードが自動パージを実施する設定になっている必要もある。本実施形態の画像形成システム１００は、自動パージを実施するためのハードウェア構成およびソフトウェア構成を備え、自動パージを実施するように予めモードが設定されているので、これらの必要条件を満たしている。
【００６１】
また、自動パージを実施するためには、画像形成システム１００において、各々の残留用紙を搬送ローラーが良く噛んだ状態にあり、かつ各々の残留用紙が異なる装置間を跨いでいない状態であることが望ましい。用紙搬送路における残留用紙の位置、搬送ローラーによる残留用紙の噛み具合によっては、自動パージを実施することができない場合もある。通常、自動パージ実施部４７１は、自動パージを実施する前に各々の残留用紙を自動パージに適した位置に移動させる。自動パージに適した位置とは、たとえば定着器付近など、残留用紙の状態に影響を及ぼすおそれのある位置を除く、残留用紙の自動パージが可能な位置である。
【００６２】
しかし、用紙搬送路内の残留用紙の枚数が多く、上記自動パージに適した位置に退避できない場合、あるいは、上記自動パージに適した位置を残留用紙が通り過ぎてしまうなどして退避できない場合は、自動パージを実施できない。このような場合は、自動パージ実施部４７１は、自動パージを実施可能ではない、と判断する。
【００６３】
なお、上記自動パージに適した位置は、用紙搬送が停止された後に残留用紙の自動パージが可能である位置であり、必ずしもユーザーが手作業で容易に除去できる位置とは限らない。通常、上記自動パージに適した位置は、印刷処理の生産性を最大にできるような位置に決められる。
【００６４】
自動パージ禁止部４７２は、自動パージを実施することが可能であるにもかかわらず、自動パージの実施を阻害する要因（以下、単に「阻害要因」ともいう）を検出した場合、自動パージの実施を禁止する。阻害要因の詳細については後述する。
【００６５】
本実施形態の画像形成システム１００は、ユーザーのジャム処理に対する負担を軽減する見地から、用紙ジャムの発生を検出した場合、できる限り自動パージにより残留用紙を排出しようとする。しかし、自動パージを実施することが可能であると判断された後、阻害要因が検出された場合は、やむを得ず自動パージを禁止（キャンセル）する。
【００６６】
用紙位置制御部４７３は、自動パージ禁止部４７２により自動パージが禁止された場合、ユーザーが除去しにくい位置にある残留用紙をユーザーが除去しやすい位置まで搬送し、停止するように用紙搬送部２２０，３２０，４５０，５３０，６１０を制御する。
【００６７】
通知制御部４７４は、ジャム発生情報に基づいて、用紙ジャムの発生が検出された場合、当該用紙ジャムに関する情報をユーザーに通知するように操作表示部４６０を制御する。操作表示部４６０および通知制御部４７４は、通知部として機能する。
【００６８】
引出機構制御部４７５は、自動パージ禁止部４７２によって自動パージが禁止された時点から、すべての残留用紙の除去が完了するまで、ユーザーが除去しにくい位置にある残留用紙に引っ掛かる（残留用紙と干渉する）可能性のある引出機構をロックする。したがって、ユーザーにより給紙トレイが引き出されて残留用紙が破損することが防止される。
【００６９】
＜挿入給紙装置５００＞
挿入給紙装置５００は、画像形成装置４００の指示に従って、後処理装置６００に用紙を供給する。挿入給紙装置５００は、画像形成装置４００と後処理装置６００との間に配置され、給紙部５１０、用紙挿入部５２０、用紙搬送部５３０、通信部５４０および制御部５５０を有する。これらの構成要素は、内部バス５６０により相互に通信可能に接続されている。
【００７０】
給紙部５１０は、印刷に使用される記録材としての用紙を供給する。給紙部５１０は、複数の給紙トレイを有し、サイズ、色、厚さ、坪量などの種類の異なる用紙を大量に収容できる。本実施形態では、給紙部５１０は、たとえば、上段、中段および下段に１つずつ給紙トレイを備え、これら３つの給紙トレイには、それぞれサイズの異なる用紙が収められている。
【００７１】
また、給紙部５１０は、挿入給紙装置５００の筐体の前面から上記給紙トレイを引き出し可能とする引出機構５１１を備える。引出機構５１１は、制御部５５０の指示に従って給紙トレイの引き出しをロック（制限）できる。
【００７２】
用紙挿入部５２０は、ＰＩ（Ｐａｇｅ  Ｉｎｓｅｒｔｅｒ）部を備え、用紙を挿入する。ＰＩ部は、挿入トレイを有し、用紙を載置可能である。
【００７３】
用紙搬送部５３０は、用紙搬送路および複数の搬送ローラーを備え、画像形成装置４００、給紙部５１０または用紙挿入部５２０から供給された用紙を用紙搬送路に沿って搬送し、後処理装置６００へ排出する。
【００７４】
また、用紙搬送部５３０は、用紙搬送路に設置された用紙検出センサー５３１を有する。用紙検出センサー５３１は、用紙搬送路の分岐の直前など、複数の位置において用紙の搬送を検出できるように複数配置されうる。図１においては、代表として１つの用紙検出センサー５３１が示されている。用紙検出センサー５３１は、制御部５５０とともにジャム検出部として機能し、用紙搬送路の用紙ジャムを検出する。
【００７５】
通信部５４０は、装置間の通信回線１０１により画像形成システム１００の他の装置と通信可能に接続され、データを送受信する。
【００７６】
制御部５５０は、給紙部５１０、用紙挿入部５２０、用紙搬送部５３０および通信部５４０を制御する。制御部５５０は、図示しない補助記憶装置、メモリーおよびＣＰＵを有する。これらの各構成要素は、バスを介して相互に通信可能に接続されている。補助記憶装置は、たとえば、ハードディスクドライブ、フラッシュメモリーなどの大容量の記憶装置を備え、挿入給紙装置用の制御プログラムを格納する。メモリーは、ＲＡＭおよびＲＯＭを備える。
【００７７】
制御部５５０において、ＣＰＵは、挿入給紙装置用の制御プログラムを実行することにより、給紙部５１０、用紙挿入部５２０、用紙搬送部５３０および通信部５４０を制御し、様々な機能を実現する。
【００７８】
＜後処理装置６００＞
後処理装置６００は、画像形成装置４００の指示に従って、挿入給紙装置５００から供給された用紙を搬送または後処理し、画像形成システム１００の外部に排出する。後処理装置６００は、画像形成システム１００において最下流に配置され、用紙搬送部６１０、後処理部６２０、排紙部６３０、通信部６４０および制御部６５０を有する。これらの構成要素は、内部バス６６０により相互に通信可能に接続されている。
【００７９】
用紙搬送部６１０は、用紙搬送路および複数の搬送ローラーを備え、挿入給紙装置５００から供給された用紙を用紙搬送路に沿って排紙部６３０へ搬送する。また、用紙搬送部６１０は、挿入給紙装置５００から供給された用紙を後処理部６２０に搬送し、後処理された用紙を排紙部６３０へ搬送する。
【００８０】
また、用紙搬送部６１０は、用紙搬送路に設置された用紙検出センサー６１１を有する。用紙検出センサー６１１は、用紙搬送路の分岐の直前など、複数の位置において用紙の搬送を検出できるように複数配置されうる。図１においては、代表として１つの用紙検出センサー６１１が示されている。用紙検出センサー６１１は、制御部６５０とともにジャム検出部として機能し、用紙搬送路の用紙ジャムを検出する。
【００８１】
後処理部６２０は、用紙に対して後処理を実施する。本実施形態では、後処理は、たとえばパンチ処理、ステイプル処理、カール矯正処理、反転処理などを含む。
【００８２】
排紙部６３０は、排紙トレイ６３１およびパージトレイ６３２を備える。排紙部６３０は、用紙搬送部６１０によって搬送された用紙のうち、有効用紙を排紙トレイ６３１上に排出し、無効用紙をパージトレイ６３２上に排出する。
【００８３】
通信部６４０は、装置間の通信回線１０１により画像形成システム１００の他の装置と通信可能に接続され、データを送受信する。
【００８４】
制御部６５０は、用紙搬送部６１０、後処理部６２０、排紙部６３０および通信部６４０を制御する。制御部６５０は、図示しない補助記憶装置、メモリーおよびＣＰＵを有する。これらの各構成要素は、バスを介して相互に通信可能に接続されている。補助記憶装置は、たとえば、ハードディスクドライブ、フラッシュメモリーなどの大容量の記憶装置を備え、後処理装置用の制御プログラムを格納する。メモリーは、ＲＡＭおよびＲＯＭを備える。
【００８５】
制御部６５０において、ＣＰＵは、後処理装置用の制御プログラムを実行することにより、用紙搬送部６１０、後処理部６２０、排紙部６３０および通信部６４０を制御し、様々な機能を実現する。
【００８６】
なお、本実施形態では、後処理装置６００が後処理部６２０を有する構成について例示したが、後処理装置６００は必ずしも後処理部６２０を有していなくてもよい。その場合、後処理装置６００は、挿入給紙装置５００から供給された用紙を排紙トレイ６３１に搬送する用紙搬送装置として機能する。
【００８７】
＜制御方法＞
次に、図４〜図７を参照して、本実施形態の制御方法について詳細に説明する。図４は本実施形態の制御方法の処理手順を例示するフローチャートであり、図５は図４に示す通常手動除去制御（Ｓ１０３）の処理手順を例示するサブルーチン・フローチャートである。また、図６は図４の自動パージ制御（Ｓ１０６）の処理手順を例示するサブルーチン・フローチャートであり、図７は図４に示す特別手動除去制御（Ｓ１０９）の処理手順を例示するサブルーチン・フローチャートである。
【００８８】
図４〜図７に示す制御方法の各処理は、制御部２４０、制御部３４０、制御部４７０、制御部５５０および制御部６５０が、各々の制御プログラムを実行して協働することにより実現される。
【００８９】
なお、以下では、説明の都合上、制御部４７０が、制御部２４０、制御部３４０、制御部５５０および制御部６５０に対して主導的な役割を果たす場合について説明するが、このような場合に限定されない。
【００９０】
画像形成装置４００は、ネットワークを通じてユーザーのクライアント端末７００から印刷ジョブを受信し、当該印刷ジョブの内容に基づいて、第１の給紙装置２００、第２の給紙装置３００または給紙部４３０から供給された用紙に画像を形成する。たとえば、Ａ４サイズの用紙が、第１の給紙装置２００の上段の給紙トレイから供給され、画像形成部４２０において画像が形成される。画像が形成された用紙は、挿入給紙装置５００を経て、後処理装置６００の排紙部６３０の排紙トレイ６３１に積載される。
【００９１】
制御部４７０は、画像形成システム１００の印刷処理が開始されると、第１の給紙装置２００、第２の給紙装置３００、画像形成装置４００、挿入給紙装置５００および後処理装置６００の用紙搬送路において用紙ジャムの発生を監視する。
【００９２】
図４に示すように、制御部４７０は、画像形成システム１００の用紙搬送路において用紙ジャムを検出したか否かを判断する（ステップＳ１０１）。制御部４７０は、たとえば、用紙を搬送するための制御をしているにもかかわらず用紙の位置が変わらない場合に、用紙ジャムを検出したと判断する。用紙ジャムが検出されない場合（ステップＳ１０１：ＮＯ）、制御部４７０は、制御処理を終了する（エンド）。
【００９３】
一方、用紙ジャムを検出した場合（ステップＳ１０１：ＹＥＳ）、自動パージ実施部４７１は、用紙搬送を停止し、自動パージが実施可能か否かを判断する（ステップＳ１０２）。自動パージが実施可能ではない場合（ステップＳ１０２：ＮＯ）、通常手動除去制御（ステップＳ１０３）を実施した後、制御処理を終了する（エンド）。通常手動除去制御では、自動パージが実施可能ではない場合、自動パージを実施せずに、ユーザーが除去しにくい位置にある残留用紙を、除去しやすい位置に再搬送した上で、ジャム起因紙とともにユーザーに除去させる。通常手動除去制御の処理内容の詳細については、後述する。
【００９４】
一方、自動パージが実施可能である場合（ステップＳ１０２：ＹＥＳ）、制御部４７０は、プレパージおよび下流紙排出を実施する（ステップＳ１０４）。制御部４７０は、自動パージが実施可能であると判断された直後から計時を開始する。また、制御部４７０は、画像形成システム１００の用紙搬送路における残留用紙のジャム起因紙に対する位置を考慮し、必要に応じて、ジャム起因紙の上流側および下流側の残留用紙を排紙トレイ６３１またはパージトレイ６３２へ向けて排出する。
【００９５】
次に、阻害要因を検出したか否かを判断する（ステップＳ１０５）。制御部４７０は、自動パージが実施可能であると判断された直後から、阻害要因を検出したか否かを監視する。たとえば、本実施形態では、自動パージに関係する装置の前面扉の開放が阻害要因となりうる。すなわち、制御部４７０は、自動パージが実施可能であると判断された後、自動パージに関係する装置の前面扉が開かれた場合、用紙搬送路における残留用紙の位置に何か変化が生じえたであろうとの推定に基づき、阻害要因を検出したと判断する。残留用紙の位置に変化が生じた場合は、制御部４７０が管理しているジャム発生情報に含まれる残留用紙の位置と、実際の残留用紙の位置とにずれが生じ、制御部４７０が自動パージを適切に実施できなくなる可能性がある。
【００９６】
一方で、自動パージに関係する装置の前面扉が開放されたとしても、必ずしも残留用紙の位置に変化を生じさせるとは限らない。たとえば、ユーザーが自動パージに関係する装置の前面扉を開けた後にすぐに閉めた場合は、残留用紙の位置に変化を生じさせることはない。
【００９７】
そこで、制御部４７０は、残留用紙の位置に変化を生じさせる何らかの操作があった場合に阻害要因の発生を検出したと判断するように構成されてもよい。たとえば、制御部４７０は、ジャム起因紙以外の残留用紙に対して移動または除去の操作が加えられた場合、阻害要因の発生を検出したと判断するように構成されうる。このように構成することにより、前面扉の開放が、実際には残留用紙の位置に変化を生じさせるものではなく、結果的に阻害要因の発生を検出したとの判断が適切ではなかったこととなる事態を回避できる。
【００９８】
さらに、自動パージが実施可能であると判断されてからの経過時間（以下、単に「経過時間」ともいう）が長くなればなるほど、画像形成システム１００の用紙搬送路に自動パージを阻害する何らかの異常が生じる可能性がより高くなると考えられる。したがって、制御部４７０は、経過時間の長さが長い場合についても、阻害要因として扱いうる。たとえば、制御部４７０は、経過時間の長さが所定の待機時間を超過した場合、阻害要因の発生を検出したと判断する。このように構成することにより、残留用紙が搬送ローラーに噛んだ状態で長時間にわたり同一の位置に停止することに起因して、残留用紙がカールすることを抑制できる。
【００９９】
阻害要因を検出していない場合（ステップＳ１０５：ＮＯ）、自動パージ制御（ステップＳ１０６）を実施した後、制御処理を終了する（エンド）。自動パージ制御では、ジャム起因紙とその付近の残留用紙をユーザーに除去させた後、残りの残留用紙を自動パージする。自動パージ制御の処理内容の詳細については、後述する。
【０１００】
一方、阻害要因を検出した場合（ステップＳ１０５：ＹＥＳ）、自動パージを禁止する（ステップＳ１０７）。制御部４７０は、自動パージを実施することが可能であるにもかかわらず、自動パージを実施する前に阻害要因を検出した場合、自動パージの実施を禁止（キャンセル）する。
【０１０１】
次に、ユーザーが除去しにくい残留用紙があるか否かを判断する（ステップＳ１０８）。用紙位置制御部４７３は、たとえば各装置の用紙搬送路に設置された用紙検出センサーの検出結果に基づいて、用紙搬送路における複数の残留用紙の中からユーザーが除去しにくい位置にある用紙を特定する。本明細書では、ユーザーが除去しにくい残留用紙とは、用紙搬送路において残留用紙が除去しにくい位置に停止しているため、ユーザーが用紙搬送路から除去しようとすると、破れてしまうなど損傷を受ける可能性がある残留用紙を意味する。本明細書の技術分野においては、このような残留用紙は、「ギロチン状態」の残留用紙と呼ばれることもある。以下、本明細書では、ユーザーが除去しにくい残留用紙をギロチン状態の残留用紙ともいう。
【０１０２】
ユーザーが除去しにくい残留用紙がある場合（ステップＳ１０８：ＹＥＳ）、特別手動除去制御（ステップＳ１０９）を実施した後、制御処理を終了する（エンド）。特別手動除去制御では、制御部４７０は、ユーザーが除去しにくい位置にある残留用紙を、ユーザーが除去しやすい位置まで搬送するように制御する。特別手動除去制御の処理内容の詳細については、後述する。
【０１０３】
一方、ユーザーが除去しにくい残留用紙がない場合（ステップＳ１０８：ＮＯ）、ジャム起因紙および全残留用紙の位置を通知する（ステップＳ１１０）。制御部４７０は、ジャム発生情報に基づいて、たとえば、操作表示部４６０のディスプレイに画像形成システム１００の用紙搬送路におけるジャム起因紙および全残留用紙の位置を表示させる。
【０１０４】
次に、ジャム起因紙および全残留用紙の除去を開始する（ステップＳ１１１）。さらに、制御部４７０は、操作表示部４６０のディスプレイにジャム起因紙および各々の残留用紙の除去方法を表示させるなどして、ユーザーにこれらの用紙の除去を促す。ユーザーは、ディスプレイの指示に従って、ジャム起因紙および全残留用紙を１枚ずつ除去する。
【０１０５】
次に、ジャム起因紙および全残留用紙の除去が完了したか否かを判断する（ステップＳ１１２）。制御部４７０は、ジャム起因紙および全残留用紙の除去が完了していない場合（ステップＳ１１２：ＮＯ）、完了するまで待機し、ジャム起因紙および全残留用紙の除去が完了した場合（ステップＳ１１２：ＹＥＳ）、制御処理を終了する（エンド）。
【０１０６】
このように、図４のフローチャートに示す制御処理では、制御部４７０は、自動パージを実施することが可能であるにもかかわらず、自動パージを実施する前に阻害要因を検出した場合、自動パージを実施せずに自動パージの実施を禁止する。そして、制御部４７０は、自動パージが禁止された場合、ユーザーが除去しにくい位置にある残留用紙をユーザーが除去しやすい所定の位置まで搬送するように用紙搬送部２２０，３２０，４５０，５３０，６１０を制御する。
【０１０７】
＜通常手動除去制御＞
図５に示すように、ユーザーが除去しにくい残留用紙があるか否かを判断する（ステップＳ２０１）。ユーザーが除去しにくい残留用紙がある場合（ステップＳ２０１：ＹＥＳ）、ユーザーが除去しにくい位置に停止している残留用紙を、ユーザーが除去しやすい所定の位置へ再搬送を開始する（ステップＳ２０２）。制御部４７０は、たとえば、上記残留用紙を用紙搬送方向の下流側へ、装置のユニット間に跨る位置を避け、前面扉を開いたときに用紙の先端が見えるか、あるいは用紙の後端が下流のユニットを抜ける程度の距離を搬送させる。
【０１０８】
次に、残留用紙の再搬送が完了したか否かを判断する（ステップＳ２０３）。残留用紙の再搬送が完了していない場合（ステップＳ２０３：ＮＯ）、残留用紙の再搬送が完了するまで待機する。
【０１０９】
一方、制御部４７０は、残留用紙の再搬送が完了した場合（ステップＳ２０３：ＹＥＳ）、用紙除去処理を開始する（ステップＳ２０４）。制御部４７０は、操作表示部４６０のディスプレイにジャム起因紙および全残留用紙の位置と、ユーザーにジャム起因紙および残留用紙の除去を促すメッセージとを表示させる。ユーザーは、ディスプレイに表示されたメッセージに従いジャム起因紙および全残留用紙を用紙搬送路から除去する。
【０１１０】
次に、用紙除去処理が完了したか否かを判断する（ステップＳ２０５）。用紙除去処理が完了していない場合（ステップＳ２０５：ＮＯ）、用紙除去処理が完了するまで待機する。
【０１１１】
一方、制御部４７０は、用紙除去処理が完了した場合（ステップＳ２０５：ＹＥＳ）、通常手動除去制御の処理を終了する（リターン）。
【０１１２】
一方、ユーザーが除去しにくい位置に停止している残留用紙がない場合（ステップＳ２０１：ＮＯ）、用紙除去処理を開始する（ステップＳ２０４）。ステップＳ２０４以降の処理については、上述したとおりであるので、説明を省略する。
【０１１３】
＜自動パージ制御＞
図６に示すように、ジャム起因紙の除去処理を開始する（ステップＳ３０１）。制御部４７０は、操作表示部４６０のディスプレイにジャム起因紙の位置と、ユーザーにジャム起因紙の除去を促すメッセージとを表示させる。ユーザーは、ディスプレイに表示されたメッセージに従ってジャム起因紙を用紙搬送路から除去する。さらに、ジャム起因紙付近に残留用紙がある場合、すなわち残留用紙が、ジャム起因紙と重なり合う位置、またはジャム起因紙の近傍にある場合は、ユーザーによってジャム起因紙とともにこれらの残留用紙も除去されうる。
【０１１４】
ジャム起因紙の除去処理が完了したか否かを判断する（ステップＳ３０２）。ジャム起因紙の除去処理が完了していない場合（ステップＳ３０２：ＮＯ）、ジャム起因紙の除去処理が完了するまで待機する。
【０１１５】
一方、ジャム起因紙の除去処理が完了した場合（ステップＳ３０２：ＹＥＳ）、残留用紙を自動パージする（ステップＳ３０３）。制御部４７０は、用紙搬送路の残留用紙を自動パージする。自動パージの前にユーザーによってジャム起因紙付近の残留用紙が除去された場合は、これらの残留用紙以外の残りの残留用紙をパージトレイ６３２へ向けて搬送する。
【０１１６】
次に、自動パージが完了したか否かを判断する（ステップＳ３０４）。自動パージが完了していない場合（ステップＳ３０４：ＮＯ）、自動パージが完了するまで待機する。一方、自動パージが完了した場合（ステップＳ３０４：ＹＥＳ）、制御部４７０は、自動パージ制御を終了する（リターン）。
【０１１７】
＜特別手動除去制御＞
図７に示すように、１回目の用紙除去処理で除去する用紙の位置をユーザーに通知する（ステップＳ４０１）。制御部４７０は、１回目の用紙除去処理で除去するジャム起因紙および残留用紙の位置と、ユーザーに対してジャム起因紙および残留用紙の除去を促すメッセージと、を操作表示部４６０のディスプレイに表示させる。
【０１１８】
次に、１回目の用紙除去処理を開始する（ステップＳ４０２）。ユーザーは、ディスプレイに表示されたメッセージに従い、ジャム起因紙および残留用紙を用紙搬送路から除去する。
【０１１９】
次に、１回目の用紙除去処理が完了したか否かを判断する（ステップＳ４０３）。１回目の用紙除去処理が完了していない場合（ステップＳ４０３：ＮＯ）、１回目の用紙除去処理が完了するまで待機する。
【０１２０】
一方、１回目の用紙除去処理が完了した場合（ステップＳ４０３：ＹＥＳ）、残留用紙の再搬送を開始する（ステップＳ４０４）。用紙位置制御部４７３は、ユーザーが除去しにくい位置にある残留用紙を、ユーザーが除去しやすい所定の位置まで搬送するように制御する。用紙位置制御部４７３は、たとえば、上記残留用紙を用紙搬送方向の下流側へ、装置のユニット間に跨る位置を避け、前面扉を開いたときに用紙の先端が見えるか、あるいは用紙の後端が下流のユニットを抜ける程度の距離を搬送させる。
【０１２１】
次に、残留用紙の再搬送が完了したか否かを判断する（ステップＳ４０５）。残留用紙の再搬送が完了していない場合（ステップＳ４０５：ＮＯ）、残留用紙の再搬送が完了するまで待機する。一方、残留用紙の再搬送が完了した場合（ステップＳ４０５：ＹＥＳ）、２回目の用紙除去処理で除去する用紙の位置をユーザーに通知する（ステップＳ４０６）。制御部４７０は、再搬送された残留用紙の位置と、ユーザーに対して残留用紙の除去を促すメッセージと、を操作表示部４６０のディスプレイに表示させる。
【０１２２】
次に、２回目の用紙除去処理を開始する（ステップＳ４０７）。ユーザーは、ディスプレイに表示されたメッセージに従い、再搬送された残留用紙を用紙搬送路から除去する。
【０１２３】
次に、２回目の用紙除去処理が完了したか否かを判断する（ステップＳ４０８）。２回目の用紙除去処理が完了していない場合（ステップＳ４０８：ＮＯ）、２回目の用紙除去処理が完了するまで待機する。
【０１２４】
一方、２回目の用紙除去処理が完了した場合（ステップＳ４０８：ＹＥＳ）、特別手動除去制御の処理を終了する（リターン）。
【０１２５】
＜実施例＞
以下、図８〜図１４を参照して、本実施形態の画像形成システム１００の動作について例を挙げて説明する。図８は自動パージが実施可能と判断された状態を例示する模式図であり、図９は自動パージが禁止された状態を例示する模式図である。また、図１０は１回目のジャム・ポジションを例示する模式図であり、図１１は１回目の用紙除去処理が完了した状態を例示する模式図である。さらに、図１２は残留用紙の再搬送が完了した状態を例示する模式図であり、図１３は２回目のジャム・ポジションを例示する模式図であり、図１４は２回目の用紙除去処理が完了した状態を例示する模式図である。なお、図面を簡略化するため、画像形成システム１００の各装置において一部の構成の図示が省略されている場合がある。
【０１２６】
本実施例では、第１の給紙装置２００から用紙を順次供給し、印刷処理を実施していたところ、後処理装置６００において用紙ジャムが発生した場合を例示して説明する。画像形成システム１００の用紙搬送路内を搬送されていた用紙Ｓ０〜Ｓ９のうち、用紙Ｓ１はジャム起因紙であり、用紙Ｓ０はジャム起因紙Ｓ１の下流側に残留し、用紙Ｓ２〜Ｓ９はジャム起因紙Ｓ１の上流側に残留している。
【０１２７】
制御部４７０は、後処理装置６００において用紙ジャムの発生を検出する。ジャム起因紙Ｓ１および残留用紙Ｓ０，Ｓ２〜Ｓ９の位置は、ジャム発生情報として制御部４７０のメモリーに記憶される。制御部４７０は、残留用紙Ｓ２〜Ｓ９について自動パージに適した位置への搬送を試みる。
【０１２８】
図８に示すように、本実施例では、残留用紙Ｓ２〜Ｓ９は、それぞれ上記自動パージに適した位置に搬送され、停止する。制御部４７０は、自動パージが実施可能と判断し、下流紙排出を実施する。後処理装置６００の残留用紙Ｓ０は、排紙トレイ６３１に排出される（図９を参照）。
【０１２９】
ところが、自動パージが実施される前にユーザーにより第２の給紙装置３００の前面扉が開放された場合、制御部４７０は、自動パージに関係する装置の前面扉が開放されたことを認識する。
【０１３０】
図９に示すように、本実施例では、制御部４７０は、自動パージに関係する装置の前面扉が開放された場合、阻害要因を検出したと判断し、自動パージを禁止する。その結果、自動パージは実施されず、残留用紙Ｓ２〜Ｓ９は、それぞれ上記自動パージに適した位置に停止したままとなる。
【０１３１】
この場合、ユーザーは、残留用紙Ｓ２〜Ｓ９を手作業で除去することになるが、上述したとおり、残留用紙Ｓ２〜Ｓ９は、必ずしもユーザーが手作業で除去しやすい位置に停止しているとは限らず、ユーザーが除去しにくい位置に停止している場合もある。
【０１３２】
たとえば、図９において、残留用紙Ｓ２，Ｓ４，Ｓ５，Ｓ７は、ギロチン状態ではなく、このままユーザーにより除去が可能な残留用紙である。残留用紙Ｓ２は、挿入給紙装置５００の領域Ｄ１に対応する部分にある前面扉を開くことにより、除去可能である。また、残留用紙Ｓ４，Ｓ５は、画像形成装置４００の前面扉を開け、ＡＤＵ（Ａｕｔｏｍａｔｉｃ  Ｄｕｐｌｅｘｉｎｇ  Ｕｎｉｔ）架台を引き出すことにより、除去可能である。さらに、残留用紙Ｓ７は、第２の給紙装置３００の領域Ｄ２に対応する部分にある前面扉を開くことにより、除去可能である。
【０１３３】
一方、残留用紙Ｓ３，Ｓ６，Ｓ８，Ｓ９は、ギロチン状態の残留用紙であり、このままではユーザーにより除去できない。もし、ユーザーが無理に残留用紙Ｓ３，Ｓ６，Ｓ８，Ｓ９を除去しようとした場合、このままでは残留用紙Ｓ３，Ｓ６，Ｓ８，Ｓ９は破れるなどの損傷を受けるおそれがある。
【０１３４】
そこで、制御部４７０は、ギロチン状態の残留用紙が停止している場合、まず、用紙搬送路のギロチン状態ではない残留用紙をユーザーに除去させた後、ギロチン状態の残留用紙をユーザーが除去しやすい所定の位置まで搬送した上で、ユーザーに除去させる。すなわち、本実施例では、基本的に２回の用紙除去処理により、ジャム起因紙Ｓ１および残留用紙Ｓ２〜Ｓ９をユーザーに除去させる。具体的には、以下のとおりである。
【０１３５】
図１０に示すように、通知制御部４７４は、操作表示部４６０のディスプレイに、１回目の用紙除去処理の対象とする用紙の位置（１回目のジャム・ポジション）を表示し、ユーザーにジャム起因紙Ｓ１および残留用紙Ｓ２，Ｓ７の除去を促す。本実施例では、１回目の用紙除去処理の対象とする用紙は、ジャム起因紙Ｓ１および残留用紙Ｓ２，Ｓ７である。ジャム起因紙Ｓ１および残留用紙Ｓ２，Ｓ７は、操作表示部４６０のディスプレイにおいて、黒い太線で描かれている。
【０１３６】
一方、１回目の用紙除去処理の対象としない残留用紙Ｓ３，Ｓ４〜Ｓ６，Ｓ８，Ｓ９は操作表示部４６０のディスプレイに非表示の残留用紙としてグレーの細線で描かれている。通知制御部４７４は、除去すべきジャム起因紙Ｓ１および残留用紙Ｓ２，Ｓ７を、ユーザーが識別しやすいように、たとえば目立つ色やマークを使用することにより強調して表示できる。
【０１３７】
ここで、残留用紙Ｓ４，Ｓ５が、ギロチン状態ではないにもかかわらず、１回目の用紙除去処理の対象ならない理由は以下のとおりである。
【０１３８】
すなわち、図１０に示す例では、残留用紙Ｓ４，Ｓ５を除去するには、ユーザーは画像形成装置４００の前面扉を開け、ＡＤＵ架台を引き出す必要がある。このとき、ギロチン状態の残留用紙Ｓ６がユーザーに見られる可能性がある。ユーザーが残留用紙Ｓ６に気づいた場合、残留用紙Ｓ６を除去すべき用紙と誤解し、引き抜いて損傷させてしまうおそれがある。本実施例では、このような事態を防止するため、ギロチン状態の残留用紙Ｓ６だけではなく、ギロチン状態ではない残留用紙Ｓ４，Ｓ５についても１回目の用紙除去対象とせず、操作表示部４６０のディスプレイに表示しない。
【０１３９】
一方、残留用紙Ｓ２，Ｓ７については、ユーザーは、それぞれ挿入給紙装置５００の上記前面扉および第２の給紙装置３００の上記前面扉を開けて除去できるので、除去作業の過程において同じ装置内のギロチン状態の残留用紙Ｓ３，Ｓ８に影響を及ぼすことない。
【０１４０】
用紙位置制御部４７３は、自動パージ禁止部４７２によって自動パージが禁止された時点で、用紙搬送路における複数の残留用紙の中からユーザーが除去しにくい残留用紙、すなわちギロチン状態の残留用紙を特定する。用紙位置制御部４７３は、ギロチン状態ではない残留用紙（他の残留用紙）であって、かつ当該残留用紙の除去作業がギロチン状態の残留用紙の除去に影響を及ぼさない残留用紙を１回目の用紙除去処理の対象とする。
【０１４１】
一方、用紙位置制御部４７３は、ギロチン状態ではない残留用紙の除去作業において、ギロチン状態の残留用紙の除去に影響を及ぼす場合、上記ギロチン状態の残留用紙が停止している装置のすべての残留用紙を１回目の用紙除去処理の対象としない。
【０１４２】
ユーザーは、後処理装置６００の前面扉、挿入給紙装置５００の上記前面扉および第２の給紙装置３００の上記前面扉を開けてジャム起因紙Ｓ１および残留用紙Ｓ２，Ｓ７を除去した後、残留用紙の除去により開放された各装置の前面扉を閉める（図１１を参照）。
【０１４３】
１回目の用紙除去処理において、ジャム起因紙Ｓ１、残留用紙Ｓ２，Ｓ７が除去され、上記各装置の前面扉が閉められると、用紙位置制御部４７３は、残留用紙Ｓ３，Ｓ６，Ｓ８，Ｓ９の再搬送を開始する。なお、残留用紙は、インターロック機構により、上記各装置の前面扉が閉められている間しか再搬送されないようになっている。一方、上記各装置以外の前面扉の開閉状態は、残留用紙の再搬送に影響を及ぼさない。
【０１４４】
なお、図１０に示す例では、画像形成装置４００の用紙搬送路においてギロチン状態の残留用紙Ｓ６の下流側に別の残留用紙は存在しない。また、第１の給紙装置２００においてギロチン状態の残留用紙Ｓ９の下流側にも別の残留用紙は存在しない。このように、ギロチン状態の残留用紙の下流側に別の残留用紙が存在しなければ、ギロチン状態の残留用紙の再搬送により、当該残留用紙と別の残留用紙とが衝突することはない。したがって、用紙位置制御部４７３は、自動パージが禁止された直後に残留用紙Ｓ６，Ｓ９の再搬送を実施することもできる。その結果、画像形成装置４００および第１の給紙装置１００におけるギロチン状態の残留用紙の再搬送を早期に完了できる。
【０１４５】
また、用紙位置制御部４７３は、１回目の用紙除去処理の対象になっている残留用紙の除去作業の完了をトリガーとして、装置ごとに残留用紙の再搬送を実施できる。たとえば、用紙位置制御部４７３は、残留用紙Ｓ２の除去作業の完了をトリガーとして残留用紙Ｓ３の再搬送を実施できる。また、用紙位置制御部４７３は、残留用紙Ｓ７の除去作業の完了をトリガーとして残留用紙Ｓ８の再搬送を実施できる。
【０１４６】
また、用紙位置制御部４７３は、一の装置の１回目の用紙除去処理の対象になっている残留用紙の除去作業の完了をトリガーとして、他の装置におけるギロチン状態の残留用紙の再搬送を実施できる。たとえば、用紙位置制御部４７３は、残留用紙Ｓ２の除去作業の完了をトリガーとして残留用紙Ｓ３に加えて残留用紙Ｓ６，Ｓ９の再搬送を実施できる。また、用紙位置制御部４７３は、残留用紙Ｓ７の除去作業の完了をトリガーとして残留用紙Ｓ８に加えて残留用紙Ｓ６，Ｓ９の再搬送を実施できる。
【０１４７】
また、用紙位置制御部４７３は、１回目の用紙除去処理の対象となっているすべての残留用紙の除去作業の完了をトリガーとして、ギロチン状態の残留用紙の再搬送を実施できる。たとえば、用紙位置制御部４７３は、残留用紙Ｓ２および残留用紙Ｓ７の除去作業の完了をトリガーとして残留用紙Ｓ３〜Ｓ６，Ｓ８，Ｓ９の再搬送を実施できる。
【０１４８】
用紙位置制御部４７３は、ギロチン状態の残留用紙Ｓ３，Ｓ６，Ｓ８，Ｓ９を、それぞれユーザーが除去しやすい所定の位置まで搬送させる。図１２に示す例では、残留用紙Ｓ３は給紙部５１０の給紙トレイの内側、残留用紙Ｓ６はＡＤＵ架台の内側、残留用紙Ｓ８は給紙部３１０の給紙トレイの内側、残留用紙Ｓ９は領域Ｄ３（図１３を参照）の内側へ、それぞれ搬送される。
【０１４９】
図１３に示すように、通知制御部４７４は、２回目の用紙除去処理の対象とする用紙の位置（２回目のジャム・ポジション）を表示する。本実施例では、２回目の用紙除去処理の対象とする用紙は、残留用紙Ｓ３〜Ｓ６，Ｓ８，Ｓ９である。
【０１５０】
ユーザーは、挿入給紙装置５００の上段の給紙トレイ、画像形成装置４００の前面扉、第２の給紙装置３００の上段の給紙トレイ、および第１の給紙装置２００における領域Ｄ３に対応する部分の前面扉を開いて残留用紙Ｓ３〜Ｓ６，Ｓ８，Ｓ９をそれぞれ除去する。その後、ユーザーは、残留用紙の除去により開放された各装置の前面扉を閉める（図１４を参照）。
【０１５１】
このように、本実施例では、基本的に２回の用紙除去処理により、ジャム起因紙Ｓ１および残留用紙Ｓ２〜Ｓ９をユーザーに除去させる。しかし、１回目の用紙除去処理の対象となる残留用紙が存在しない場合、用紙位置制御部４７３は、自動パージが禁止された直後に残留用紙の再搬送を実施できる。したがって、ユーザーは、１回の用紙除去処理によりジャム起因紙と、再搬送された残留用紙と、を除去できる。たとえば、本実施例において、仮に、残留用紙Ｓ２，Ｓ７が存在しないか、あるいはギロチン状態であった場合、１回目の用紙除去処理の対象となる残留用紙が存在せず、用紙位置制御部４７３は、自動パージが禁止された直後に残留用紙の再搬送を実施できる。
【０１５２】
なお、本実施例では、自動パージが実施される前にユーザーが第２の給紙装置３００の前面扉を開放したことにより、自動パージが禁止される場合を例示して画像形成システム１００の動作を説明した。しかしながら、他の阻害要因、たとえば自動パージが実施可能であると判断されてからの経過時間の長さが上記所定の待機時間を超過したことにより、自動パージが禁止される場合についても、自動パージを禁止した後の画像形成システム１００の動作は同様である。
【０１５３】
以上のとおり構成される本実施形態の画像形成システム１００は、下記の効果を奏する。
【０１５４】
画像形成システム１００は、自動パージが開始される前に自動パージがキャンセルされた場合、ユーザーが除去しにくい位置にある残留用紙をユーザーが除去しやすい所定の位置まで搬送する。したがって、ユーザーは、残留用紙を容易に除去できる。その結果、残留用紙の除去処理の効率が改善し、ダウンタイムが低減される。
【０１５５】
（第２の実施形態）
第１の実施形態では、第１の給紙装置、第２の給紙装置、画像形成装置、挿入給紙装置、および後処理装置を有する画像形成システムに対して本発明を適用した場合について説明した。第２の実施形態では、画像形成装置に対して本発明を適用した場合について説明する。なお、以下の説明では、説明の重複を避けるため、第１の実施形態と同一の構成については詳細な説明を省略する。以下、図１５を参照して、第２の実施形態の画像形成装置について説明する。図１５は、本実施形態の画像形成装置の構成を例示する図である。
【０１５６】
＜画像形成装置８００＞
画像形成装置８００は、原稿から画像を読み取り、読み取った画像を用紙に形成（印刷）する。また、画像形成装置８００は、ネットワークを通じて外部のクライアント端末９００から印刷ジョブを受信し、当該印刷ジョブの内容に基づいて用紙に画像を形成する。クライアント端末９００は、たとえばパーソナルコンピューター、タブレット端末、スマートフォンなどでありうる。
【０１５７】
画像形成装置８００は、画像読取部８１０、画像形成部８２０、給紙部８３０、通信部８４０、用紙搬送部８５０、操作表示部８６０、排紙部８７０および制御部８８０を有する。画像読取部８１０、画像形成部８２０、給紙部８３０、通信部８４０、用紙搬送部８５０、操作表示部８６０の構成は、第１の実施形態の画像形成装置４００の各部の構成と同様であるので、その詳細な説明は省略する。
【０１５８】
排紙部８７０は、排紙トレイ８７１を備える。排紙部８７０は、用紙搬送部８５０によって搬送された用紙（有効用紙または無効用紙）を排紙トレイ８７１上に排出する。
【０１５９】
制御部８８０は、画像読取部８１０、画像形成部８２０、給紙部８３０、通信部８４０、用紙搬送部８５０、操作表示部８６０、および排紙部８７０を制御する。制御部８８０のハードウェア構成は、第１の実施形態の制御部４７０のハードウェア構成と同様であるので、その詳細な説明は省略する。
【０１６０】
制御部８８０は、印刷ジョブを受信し、当該印刷ジョブの内容に基づいて、画像形成部８２０、用紙搬送部８５０および排紙部８７０を制御する。用紙搬送部８５０は、給紙部８３０から供給された用紙を用紙搬送路に沿って画像形成部８２０に向けて搬送し、画像が形成された用紙を排紙部８７０に搬送する。画像形成部８２０は、上記用紙に画像を形成し、定着する。排紙部８７０は、搬送された用紙を排紙トレイ８７１に排出する。用紙検出センサー８５１は、制御部８８０とともにジャム検出部として機能し、用紙搬送路の用紙ジャムを検出する。
【０１６１】
また、制御部８８０は、自動パージ実施部として機能し、用紙ジャムの発生が検出された場合、用紙搬送を一時的に停止し、自動パージの実施が可能か否かを判断し、実施が可能である場合、自動パージを実施するように用紙搬送部８５０を制御する。
【０１６２】
一方、制御部８８０は、自動パージ禁止部として機能し、自動パージの実施が可能であるにもかかわらず、上記自動パージの実施を阻害する要因を検出した場合、上記自動パージの実施を禁止する。
【０１６３】
さらに、制御部８８０は、用紙位置制御部として機能し、上記自動パージ禁止部により自動パージが禁止された場合、ユーザーが除去しにくい位置にある残留用紙をユーザーが除去しやすい所定の位置まで搬送し、停止するように用紙搬送部８５０を制御する。
【０１６４】
このように、制御部８８０は、自動パージを実施することが可能であるにもかかわらず、自動パージを実施する前に自動パージの実施を阻害する要因を検出した場合、自動パージを実施せずに自動パージの実施を禁止する。制御部８８０は、自動パージが禁止された場合、ユーザーが除去しにくい位置にある残留用紙をユーザーが除去しやすい所定の位置まで搬送するように用紙搬送部８５０を制御する。
【０１６５】
以上のとおり構成される本実施形態の画像形成装置８００は、下記の効果を奏する。
【０１６６】
画像形成装置８００は、自動パージが開始される前に自動パージがキャンセルされた場合、ユーザーが除去しにくい位置にある残留用紙をユーザーが除去しやすい所定の位置まで搬送する。したがって、ユーザーは、残留用紙を容易に除去できる。その結果、残留用紙の除去処理の効率が改善し、ダウンタイムが低減される。
【０１６７】
以上のように、実施形態において、本発明の画像形成システムおよび画像形成装置について説明した。しかしながら、本発明は、その技術思想の範囲内において当業者が適宜に追加、変形、および省略することができることはいうまでもない。
【０１６８】
また、画像形成装置の制御プログラムは、ＵＳＢメモリー、フレキシブルディスク、ＣＤ−ＲＯＭなどのコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリーやストレージなどに転送され記憶される。また、この制御プログラムは、たとえば、単独のアプリケーションソフトとして提供されてもよいし、画像形成装置の一機能としてその各装置のソフトウェアに組み込んでもよい。
【符号の説明】
【０１６９】
Ｓ０〜Ｓ９  用紙、
１００  画像形成システム、
２００  第１の給紙装置、
２１０  給紙部、
２１１  引出機構、
２２０  用紙搬送部、
２４０  制御部、
３００  第２の給紙装置、
３１０  給紙部、
３１１  引出機構、
３２０  用紙搬送部、
３４０  制御部、
４００  画像形成装置、
４１０  画像読取部、
４２０  画像形成部、
４３０  給紙部、
４３１  引出機構、
４５０  用紙搬送部、
４６０  操作表示部、
４７０  制御部、
４７１  自動パージ実施部、
４７２  自動パージ禁止部、
４７３  用紙位置制御部、
４７４  通知制御部、
４７５  引出機構制御部、
５００  挿入給紙装置、
５１０  給紙部、
５１１  引出機構、
５２０  用紙挿入部、
５３０  用紙搬送部、
５５０  制御部、
６００  後処理装置、
６１０  用紙搬送部、
６３０  排紙部、
６３１  排紙トレイ、
６３２  パージトレイ、
６５０  制御部、
７００  クライアント端末。
【図１】
2018081269.tif 000003
【図２】
2018081269.tif 000004
【図３】
2018081269.tif 000005
【図４】
2018081269.tif 000006
【図５】
2018081269.tif 000007
【図６】
2018081269.tif 000008
【図７】
2018081269.tif 000009
【図８】
2018081269.tif 000010
【図９】
2018081269.tif 000011
【図１０】
2018081269.tif 000012
【図１１】
2018081269.tif 000013
【図１２】
2018081269.tif 000014
【図１３】
2018081269.tif 000015
【図１４】
2018081269.tif 000016
【図１５】
2018081269.tif 000017